(57)【要約】【課題】降雨時におけるブロック中空部内の客土の流出防止効果に優れると同時に、ブロック中空部内に植生された植物の生育効果に優れ、植生機能に優れた環境保全型ブロックを提供する。【解決手段】コンクリート製の前壁板２と後壁板３とを複数の連結板４で一体化し、それらで囲まれる少なくとも３つのブロック中空部５には、コンクリートＣと植生用の客土１４とが交互に充填され、前壁板２の上部には、客土１４が充填された方のブロック中空部５の内外を連通させる切欠部６が設けられ、前壁板２の下部には、下段ブロック１の切欠部６の直上に位置する部分をブロック中空部５側に屈曲させた屈曲部７が設けられ、その屈曲部内面７ａによりブロック中空部５内の客土１４を保持する一方、屈曲部外面７ｂと下段ブロック１の切欠部６とにより下段ブロック１のブロック中空部５内に植生される植物を外部に向けて生育させる隙間Ｓを形成する。【選択図】図１
0003132557.tif 000002
【実用新案登録請求の範囲】
【請求項１】
植生機能を有し、基礎コンクリート上に所定の勾配で複数段積み上げられる環境保全型ブロックであって、
コンクリート製の前壁板と後壁板とを複数の連結板で一体化してなり、それら前壁板と後壁板と連結板とで囲まれる少なくとも３つのブロック中空部には、コンクリートと植生用の客土とが交互に充填されるようになっており、
前壁板の上部には、植生用の客土が充填された方のブロック中空部の内外を連通させる切欠部が設けられており、
前壁板の下部には、下段ブロックの切欠部の直上に位置する部分をブロック中空部側に屈曲させた屈曲部が設けられ、その屈曲部内面によりブロック中空部内の植生用の客土が保持される一方、屈曲部外面と下段ブロックの切欠部とにより下段ブロックのブロック中空部内に植生される植物を外部に向けて生育させる隙間が形成される、ことを特徴とする環境保全型ブロック。
【請求項２】
前壁板と後壁板に対し各連結板がトラス構造を形成するように連結されていることを特徴とする請求項１記載の環境保全型ブロック。
【請求項３】
平面視して、前壁板側が幅広で後壁板側が幅狭となるブロック中空部に植生用の客土が充填され、前壁板側が幅狭で後壁板側が幅広となるブロック中空部にコンクリートが充填される、ことを特徴とする請求項１または請求項２記載の環境保全型ブロック。
【請求項４】
屈曲部内外面の、前壁板に対する傾斜角度が１５度〜６０度であることを特徴とする請求項１ないし請求項３記載の環境保全型ブロック。
【請求項５】
前壁板の外面に擬石模様層が積層されていることを特徴とする請求項１ないし請求項４記載の環境保全型ブロック。
【考案の詳細な説明】
【技術分野】
【０００１】
本考案は、護岸機能、植生機能を有する、環境保全型ブロックに関するものである。
【背景技術】
【０００２】
近年、河川護岸や土留め法面において、従来のコンクリート積みブロック護岸と同等の護岸機能を持ちながら、水辺環境や自然環境を取り戻そうという国の方針の下、新しい考え方に基いた構造物として、植生機能を持ち、生物等の環境に配慮した環境保全型ブロックが提案されている（例えば特許文献１参照）。
【０００３】
特許文献１のブロックによると、垂直な前壁と、前壁の背後にこれと直交する控壁とを備え、控壁には上下方向に上下ブロックを挿入鉄筋およびモルタルにより定着するための貫通穴を形成するとともに、裏面パネルの固定用切欠きおよび取付インサートおよび左右への連通穴を設けたブロック本体と、背面の土庄および土砂流出を防止するための裏面パネルとを連結してー体の構造体とし、中詰めには、玉石または客土を充填するようになっている。
【０００４】
【特許文献１】特開２００１−３０３５３５号公報
【考案の開示】
【考案が解決しようとする課題】
【０００５】
しかし、上記特許文献１のブロックは、ブロックを階段状に積み上げて施工する場合、ブロック本体の上部開口部を通じて植物を外部に向けて生育させることができるが、ブロックを直線状に積み上げて施工する場合、ブロック本体の前面開口部を通じて植物を外部に向けて生育させるしかなく、前面開口部を覆う金網等が植物の生育を邪魔するという問題がある。その一方で、金網等を外してしまうと、降雨時に内部の客土が、前面開口部から河川に流出して、環境を悪化させ、ブロックの植生機能を低下させるという問題がある。
【０００６】
本考案は前記課題に鑑みてなされたもので、降雨時におけるブロック中空部内の客土の流出防止効果に優れると同時に、ブロック中空部内に植生された植物の生育効果に優れ、植生機能に優れた環境保全型ブロックを提供することを目的とする。
【課題を解決するための手段】
【０００７】
前記課題を達成するために、本考案に係る請求項１の環境保全型ブロックは、
植生機能を有し、基礎コンクリート上に所定の勾配で複数段積み上げられる環境保全型ブロックであって、コンクリート製の前壁板と後壁板とを複数の連結板で一体化してなり、それら前壁板と後壁板と連結板とで囲まれる少なくとも３つのブロック中空部には、コンクリートと植生用の客土とが交互に充填されるようになっており、
前壁板の上部には、植生用の客土が充填された方のブロック中空部の内外を連通させる切欠部が設けられており、
前壁板の下部には、下段ブロックの切欠部の直上に位置する部分をブロック中空部側に屈曲させた屈曲部が設けられ、その屈曲部内面によりブロック中空部内の植生用の客土が保持される一方、屈曲部外面と下段ブロックの切欠部とにより下段ブロックのブロック中空部内に植生される植物を外部に向けて生育させる隙間が形成される、ことを特徴とする。
【０００８】
本考案の請求項１記載の環境保全型ブロックによると、前壁板の下部の、下段ブロックの切欠部の直上に位置する部分をブロック中空部側に屈曲させてブロック中空部内に突出する屈曲部内面によりブロック中空部内の植生用の客土が保持されることで、降雨時におけるブロック中空部内の客土が下段ブロック側の隙間から流出されることを抑止する効果を発揮する。同時に、前壁板の外面に対し凹状となる屈曲部外面と下段ブロックの切欠部とにより比較的大きい隙間が形成されるから、下段ブロックのブロック中空部内に植生される植物を、隙間から、外部に向けて生育させる効果に優れ、植生機能に優れる。なお、上記の客土には、現地発生土の他、現地発生土に準じて用いられるその他の植生用の材料も含まれる。
【０００９】
隙間を塞ぐための金網等の部材を用いないので、ブロックの製作、施工、メンテナンスの各費用を安く抑えることができる。例えば、河川の護岸工事の場合、数百個単位のブロックが必要で、ブロック毎に金網等の部材を用いるとすると、数百個単位で部材が必要となり、コスト上昇が避けられないが、本考案によると、かかるコストを削減できる。
【００１０】
また、隙間を金網等の部材で塞いでしまうと、ブロック中空部内に植生した植物の、外部への生育を阻害することになるが、本考案のブロックは、隙間を塞がないので、植物の外部への生育を阻害せず、むしろ、隙間を大きく取れ、植物の生育効果が高いものである。切欠部の直上に位置する屈曲部外面が、ブロック中空部内に植生した植物を外部にスムーズに導くガイドの役目を果すことができる。
【００１１】
本考案の請求項２に係る環境保全型ブロックは、前壁板と後壁板に対し各連結板がトラス構造を形成するように連結されていることを特徴とする。
【００１２】
本考案の請求項２記載の環境保全型ブロックによると、前壁板と後壁板に対し少なくとも３つのブロック中空部を形成するように連結される少なくとも４箇所の連結板がトラス構造を形成することで、ブロック強度を確保しつつ、ブロックの軽量化を図ることができる。また、十分なブロック強度を取れるから、隙間をより拡大して植物の外部への生育を促進させることができる。
【００１３】
本考案の請求項３に係る環境保全型ブロックは、平面視して、前壁板側が幅広で後壁板側が幅狭となるブロック中空部に植生用の客土が充填され、前壁板側が幅狭で後壁板側が幅広となるブロック中空部にコンクリートが充填されることを特徴とする。
【００１４】
本考案の請求項３記載の環境保全型ブロックによると、前壁板側が幅広となるブロック中空部に植生用の客土を充填することで、前壁板上部の切欠部を幅方向に拡大して、屈曲部外面との間の隙間を拡大し、ブロック中空部に植生した植物の生育を促進させることができる。
【００１５】
本考案の請求項４に係る環境保全型ブロックは、屈曲部内外面の、前壁板に対する傾斜角度が１５度〜６０度であることを特徴とする。
【００１６】
本考案の請求項４記載の環境保全型ブロックによると、基礎コンクリート上に積上げられるブロックの法勾配は、１：０．３〜１：１程度である。かかる法勾配において、屈曲部の、前壁板に対する傾斜角度が１５〜６０度であることで、下段ブロック側の隙間に対し、上段ブロックの前壁板下部の屈曲部がほぼその真横に重なるように位置し、降雨時における上段ブロックのブロック中空部内からの客土流出をより効果的に抑止する。より好ましくは同傾斜角度を４０〜６０度とする。
【考案の効果】
【００１７】
本考案の環境保全型ブロックによると、基礎コンクリート上に所定の法勾配で積み上げられた状態において、ブロック形状の工夫によって、降雨時におけるブロック中空部内の客土の流出防止効果に優れると共に、下段ブロックの切欠部と直上の屈曲部外面とで形成される隙間からブロック中空部内に植生された植物の外部への育成効果に優れ、植生機能に優れるという格別の効果を奏することができる。
【００１８】
また、トラス構造を形成することで、ブロック強度を確保しつつ、ブロックの軽量化を図ることができるという効果を奏する。
【考案を実施するための最良の形態】
【００１９】
以下、図面を参照して、本考案の実施形態を説明する。図１は本考案に係る環境保全型ブロックの斜視図、図２は同ブロックの平面図、図３は同ブロックの正面図、図４は同ブロックの側面図、図５は図２のＡ−Ａ線断面図である。各図において、符号１は本考案のブロックを示している。
【００２０】
まず、ブロック１の構造について説明すると、ブロック１は、コンクリート製であり、横長の前壁板２と、同じく横長の後壁板３を平行に並べてその間を６箇所の連結板４（４Ａ〜４Ｆ）で一体化された構造とされている。各連結板４Ａ〜４Ｆは、図２の平面図に示すように、前壁板２と後壁板３に対し、トラス構造を形成しており、ブロック壁体内に前壁板２と後壁板３と連結板４とで囲まれる５つのブロック中空部５（５Ａ〜５Ｅ）が上下方向に開口して並設されている。また、両端の連結板４Ａ，４Ｆと前壁板２，後壁板３の各端部とで形成されるブロック側面の凹所は、施工時に左右に連結されるブロック１の側面の凹所と共にブロック中空部５Ｆ（図８参照）を形成するようになっている。
【００２１】
各ブロック中空部５には、コンクリートまたは植生用の客土（胴込め材）を充填するようになっている。図２において、両端のブロック中空部５Ａ，５Ｅと真中のブロック中空部５Ｃは、いずれも前壁板２側が幅広で、後壁板３側が幅狭とされており、図８に示されるように、植生用の客土１４を充填するようになっている。残りのブロック中空部５Ｂ，５Ｄはいずれも前壁板２側が幅狭で、後壁板３側が幅広とされており、コンクリートＣを充填するようになっている。
【００２２】
前壁板２の上部には、後述する上段ブロック１の下部の屈曲部外面７ｂとの間に植生用の隙間Ｓを形成するための切欠部６が、植生用の客土１４を充填するブロック中空部５Ａ，５Ｃ，５Ｅの前面位置に、設けられている。隙間Ｓの幅は、図６および図７に示すように、各ブロック中空部５Ａ，５Ｃ，５Ｅ内の客土１４に植生された植物Ｍを外部へ向けて大きく生育させるために、各ブロック中空部５Ａ，５Ｃ，５Ｅの幅のほぼ一杯まで拡大されている。
【００２３】
前壁板２の下部には、下段ブロック１側の切欠部６の直上に位置する部分を、切欠部６の略全幅にわたり、図５の断面図に示すように、各ブロック中空部５Ａ，５Ｃ，５Ｅ側に屈曲させた屈曲部７が設けられている。この屈曲部７は、内外面が斜め下向きに傾斜してブロック下面１ａの高さ位置まで延びている。図７に示すように、各ブロック中空部５Ａ，５Ｃ，５Ｅ側に突出する屈曲部内面７ａにより、各ブロック中空部５Ａ，５Ｃ，５Ｅ内の客土１４が保持されて、降雨時に、各ブロック中空部５Ａ，５Ｃ，５Ｅ内の客土１４が下段ブロック１側の隙間Ｓから外部に流出されることを抑止する。
【００２４】
一方、前壁板２の外面に対し凹状となる屈曲部外面７ｂと下段ブロック１の切欠部６とにより下段ブロック１の各ブロック中空部５Ａ，５Ｃ，５Ｅ内に通じる隙間Ｓが形成されており、同隙間Ｓを通して、各ブロック中空部５Ａ，５Ｃ，５Ｅ内に植生される植物を外部に向けて生育させるようになっている。
【００２５】
屈曲部内外面の作用を最適化するため、屈曲部内面７ａの傾斜角度α１，屈曲部外面の傾斜角度α２は、前壁板２に対し、１５度〜６０度の間とされており、図示例では、α１＝約４５度、α２＝約５０度とされている。
【００２６】
図６は、ブロック１の施工状態の要部を示すもので、下段ブロック１の切欠部６と上段ブロック１の屈曲部外面７ｂとにより形成される隙間Ｓから、各ブロック中空部内の客土１４に植生された植物Ｍが外部に向けて生育されている。同図および図７の施工断面図に示すように、屈曲部外面７ｂは、各ブロック中空部５Ａ，５Ｃ，５Ｅ内の客土１４に植生された植物Ｍを、隙間Ｓを通して外部に生育させるためのガイド部としての役割を果す。
【００２７】
各連結板４Ａ〜４Ｆの上面には係止用の凸部８がそれぞれ設けられ、同各連結板４Ａ〜４Ｆの下面には積上げ時に下段ブロック上面の前記凸部８に係合する係止凹部９がそれぞれ設けられている。また、前壁板２の外面には、全面に亘り擬石模様層１０が積層されており、河川の周囲景観に配慮した外観を呈する工夫が施されている。
【００２８】
次に、本考案に係るブロック１の施工方法の例について説明する。図７は、河川の護岸に対し、本考案のブロック１を所定の法勾配（１：０．３〜１：１程度）で直線的に積上げて施工する例の断面図を示している。
【００２９】
まず、基礎部分の所定位置に基礎コンクリート１１を設置し、基礎コンクリート１１の上に１段目のブロック１を据え付ける。１段目のブロック１を据え付けたら、裏込め材１２、コンクリートＣ、砕石１３の順に充填する。図８に示すように、コンクリートＣは、ブロック中空部５Ｂ，５Ｄに、砕石１３は、ブロック中空部５Ａ，５Ｃ，５Ｄに充填する。
【００３０】
１段目のブロック１の上に２段目のブロック１を据え付け、前記同様に、裏込め材１２、コンクリートＣ、砕石１３を充填する。２段目のブロック１の上面に必要に応じて吸出し防止材を設置して、その上に３段目のブロック１を据え付ける。３段目以降のブロック１には、ブロック中空部５Ａ，５Ｃ，５Ｅに植生用の客土（現地発生土）１４を充填し、草木等の植物Ｍを植栽する。植物Ｍは客土１４に含まれる種子から育成させてもよい。
【００３１】
所定の段数（図７の例では５段）までブロック１を積み上げたら、天端コンクリート１５を打設設置して仕上げる。
【００３２】
本実施形態のブロック１によると、以下の作用効果を奏する。
（１）   前壁板２下部の、下段ブロック１の切欠部６の直上に位置する部分を、各ブロック中空部５Ａ，５Ｃ，５Ｅ側に屈曲させてその屈曲部内面７ａにより各ブロック中空部内の客土１４を保持するから、降雨時に、上段ブロック１の各ブロック中空部内の客土１４が、下段ブロック１の切欠部６と屈曲部外面７ｂとで形成される隙間Ｓから外部に流出するのを効果的に抑止する。
（２）   下段ブロック１の切欠部６と屈曲部外面７ｂとで形成される隙間Ｓを通じて、各ブロック中空部内の客土１４に植生された植物Ｍを外部に向けて大きく生育させることができる。
（３）   客土１４の流出防止用に隙間Ｓを塞ぐ金網等の部材を用いないから、ブロック１の製作、施工、メンテナンスの費用を削減できる。
（４）   ブロック１に３連のトラス構造を採用して、ブロック強度を確保しつつ、ブロックの軽量化を図ることができる。
【００３３】
図９および図１０は、本考案ブロックの他の実施形態を示すもので、図１に示すブロック１と同一部材には、同一符号を付してその説明は省略する。本実施形態におけるブロック２０は、前壁板２と後壁板３とを４箇所の連結板４（４Ａ〜４Ｄ）で一体化されたトラス構造とされ、３つのブロック中空部５Ａ，５Ｂ，５Ｃが並設されている。両端のブロック中空部５Ａ，５Ｃには植生用の客土を、中央のブロック中空部５Ｂにはコンクリートをそれぞれ充填するようになっている。本実施形態のブロック２０においても、前記ブロック１と同様の作用効果を奏することができる。
【産業上の利用可能性】
【００３４】
本考案に係る環境保全型ブロックは、護岸機能、植生機能を有する、環境保全型のブロックとして幅広く利用可能である。
【図面の簡単な説明】
【００３５】
【図１】本考案の環境保全型ブロックを示す斜視図、
【図２】図１の環境保全型ブロックの平面図、
【図３】図１の環境保全型ブロックの正面図、
【図４】図１の環境保全型ブロックの側面図、
【図５】図２のＡ−Ａ線断面図、
【図６】図１の環境保全型ブロックを数段積上げた状態を示す要部図、
【図７】図１の環境保全型ブロックの施工例を示す断面図、
【図８】図１の環境保全型ブロックの施工状態を示す平面図、
【図９】本考案の環境保全型ブロックの他の実施形態を示す平面図、
【図１０】図９の環境保全型ブロックの正面図である。
【符号の説明】
【００３６】
１，２０  環境保全型ブロック
２  前壁板
３  後壁板
４，４Ａ，４Ｂ，４Ｃ，４Ｄ，４Ｅ，４Ｆ  連結板
５，５Ａ，５Ｂ，５Ｃ，５Ｄ，５Ｅ  ブロック中空部
６  切欠部
７  屈曲部
７ａ  屈曲部内面
７ｂ  屈曲部外面
８  係止用の凸部
９  係止用の凹部
１０  擬石模様層
１１  基礎コンクリート
１２  裏込め材
１３  砕石
１４  客土（植生用の胴込め材）
１５  天端コンクリート
Ｃ  コンクリート
Ｓ  隙間
α１，α２  傾斜角度
【図１】
0003132557.tif 000003
【図２】
0003132557.tif 000004
【図３】
0003132557.tif 000005
【図４】
0003132557.tif 000006
【図５】
0003132557.tif 000007
【図６】
0003132557.tif 000008
【図７】
0003132557.tif 000009
【図８】
0003132557.tif 000010
【図９】
0003132557.tif 000011
【図１０】
0003132557.tif 000012